(57)【要約】【課題】磁気効率を低下させずに、体格を縮小して省スペース化を図ることのできるソレノイドバルブを提供すること。【解決手段】ソレノイドバルブは、呼吸経路１７を形成するソレノイド部を備えている。ソレノイド部を構成するヨーク１１を、後端部を閉口する筒状に形成するとともに、コネクタ部を装着するための切り欠き部１１１を形成している。ヨーク１１の切り欠き部１１１の延長線上における低磁区域として形成された中間内壁部１１２と後内壁部１１３に、軸方向に沿って呼吸経路１７としての呼吸溝を形成し、呼吸溝をヨーク１１とプランジャの後端面との間に形成する油溜まり部１１ｂに連結させる。これによって外部からの油が呼吸経路１７を通って固定コアのプランジャ収納部に導入される。【選択図】図３
2004144230.tif 000002
【特許請求の範囲】
【請求項１】
コイルの励磁で磁気回路を形成する固定子及びヨークと、前記コイルの励磁で摺動可能に配置される可動子とを備えてソレノイド部が構成され、前記ソレノイド部に、前記可動子の摺動に対して発生する流体の容積変化を吸収するための呼吸経路を形成するソレノイドバルブであって、
前記ヨークは、前記コイルの外周面を覆って一方を閉口する筒状に形成するとともに、前記可動子との間に油溜まり部を形成し、
前記ソレノイド部内において、前記呼吸経路が、低磁区域内で前記油溜まり部に連結する呼吸溝を形成することを特徴とするソレノイドバルブ。
【請求項２】
前記低磁区域が、前記ヨークに形成された切り欠き部から延長された前記ヨークの内壁に形成されていることを特徴とする請求項１記載のソレノイドバルブ。
【請求項３】
コイルの励磁で磁気回路を形成する固定子及びヨークと、前記コイルの励磁で摺動可能に配置される可動子とを備えてソレノイド部が構成され、前記ソレノイド部に、前記可動子の摺動に対して発生する流体の容積変化を吸収するための呼吸経路を形成するソレノイドバルブであって、
前記ヨークは、前記コイルの外周面を覆って一方を閉口する筒状に形成され、
前記固定子には、前記可動子と油を収納する可動子収納部が形成され、
前記呼吸経路が、低磁区域内で前記可動子収納部に連結する呼吸溝を形成することを特徴とするソレノイドバルブ。
【請求項４】
前記低磁区域が、前記ヨークに形成された切り欠き部から延長された前記固定子の前部に形成されていることを特徴とする請求項３記載のソレノイドバルブ。
【発明の詳細な説明】
【０００１】
【発明の属する技術分野】
本発明は、油中内に配置されるソレノイドバルブに関し、さらに詳しくは、コイルの励磁で磁界を形成する固定子（固定コア）とヨーク、及び可動子（プランジャ）とを備え、可動子の摺動に対して発生する流体の容積変化を吸収するための呼吸経路を形成するソレノイド部を備えたソレノイドバルブに関する。
【０００２】
【従来の技術】
従来、油中内に配置されて呼吸経路を形成したソレノイド部を備えて構成されるソレノイドバルブは、例えば、特開２００１−２６３５２１に示されるように、ソレノイド部を構成するヨークの後部に配置されたプレートに外部からの油を導入する導入孔を呼吸経路として形成していた。
【０００３】
これによると、図９に示すように、ソレノイドバルブ９０は、ソレノイド部９１とスプール弁部１００とを備えて構成されている。ソレノイド部９１は、筒状に形成されるコイル９２と、コイル９２に内蔵される固定コア９３、ヨーク９４と固定コア９３に向かって接近・離隔するようにヨーク９４内に摺動可能に配置されるプランジャ９５とを備えている。プランジャ９５には固定コア９３内を挿通するシャフト９６が装着され、プランジャ９５の摺動とともに軸方向に沿って移動する。
【０００４】
一方、スプール弁部１００は、シャフト９６に連接されて軸方向に摺動可能なスプール１０１と、スプール１０１を覆うように配置するケース体としてのスリーブ１０２とを備えて構成されている。スプール１０１は軸方向に沿って軸部に対して大径に形成される複数の弁部１０３ａ、承継に形成される弁部１０３ｂを有し、スリーブ１０２には、軸方向に沿って並設して形成される複数のポート１０４が配置されている。そして、スプール１０１の軸方向への適度な移動によりスプール１０１の各弁部１０３ａが、スリーブ１０２の各ポート１０４の開口量を調整して、ラインに供給する作動油の量を調整可能に構成されている。
【０００５】
一方、プランジャ９５の摺動によりシャフト９６を介してスプール１０１を軸方向に移動する際、プランジャ９５を収納するヨーク９４内には、プランジャ９５に圧力を付加するための油が貯留されていて、その油が、プランジャ９５の摺動により容積変化を起こし圧力が低下することから、ソレノイドバルブ９０の外部から油を導入する必要があり、このためにソレノイド部９０においては外部から油を導入するための呼吸経路が形成されている。
【０００６】
上記の公報に示されるソレノイドバルブ９０では、呼吸経路は、ヨーク９４の後方でソレノイド部９１を塞いでいるプレート９７に油の導入孔９７ａを設けている。
【０００７】
【特許文献１】
特開２００１−２６３５２１公報（図１）
【０００８】
【発明が解決しようとする課題】
しかし、前述の公報に示されるソレノイドバルブ９０において、プレート９７は、ヨーク９４の後方でヨーク９４・コイル９２を覆うケース体９８の後端部でカシメられることによってソレノイド部９１に一体的に結合されている。さらに、プレート９７とプランジャ９５との間には油溜まり部９９を形成するために、外側に屈曲するように形成されている。このソレノイド部９１の構成は、プレート９７が別部品に形成され、ケース体９８との間でカシメ結合により組みつけられることから、コストが高くなるとともに、プレート９７の形状により、ソレノイド部９１の外径は大きくなってソレノイド部９１の周りのスペースを広くとることとなっていた。
【０００９】
従って、コストの低減化と省スペース化を図ることのできるソレノイド部を提供するためには、部品点数を低減させることに加えて呼吸経路の配置位置を再検討しなければならなかった。しかも、呼吸経路を形成するにあたっては、ソレノイド部の構成を見直すとともに、コイルの励磁により発生する磁気効率の低下を招くことなく効率よい磁力を発生させることが必要となっていた。
【００１０】
本発明は、上述の課題を解決するものであり、ソレノイド部を小径にして省スペース化を図ってコストの低減を図るとともに、高い磁気効率を維持できるように呼吸経路を形成するソレノイドバルブを提供することを目的とする。
【００１１】
【課題を解決するための手段】
本発明に係るソレノイドバルブは、上記の課題を解決するために、以下のように構成するものである。すなわち、
請求項１記載の発明では、ソレノイドバルブは、固定子・ヨーク・可動子を有してソレノイド部に呼吸経路を備えるものであって、ヨークはコイルの外周面を覆うとともに可動子との間に油溜まり部を設けるように一端を閉口する筒状に形成され、ソレノイド部の外径を従来のソレノイド部より小径に形成している。
【００１２】
一方、可動子の摺動による容積変化を補充するための呼吸経路をソレノイド部の低磁区域内に設けることによって、コイルの励磁によって発生する磁気効率を低下することなく、呼吸経路を構成することができる。
【００１３】
つまり、コイルを励磁することによって、ヨーク・固定コア・プランジャとの間には磁気回路が形成され、これによってプランジャが固定コアに対して接近する方向に摺動する。プランジャが摺動することによって、ソレノイド部内のプランジャの周りに収納されている油が容積変化を起こすことになり、これによって油の圧力が低下することとなる。この油の圧力はソレノイドバルブが設置されている周りの油を呼吸経路から導入することによって補充される。この呼吸経路を、ソレノイド部における低磁区域内において形成すれば、ソレノイド部内で発生する磁力を低下させることなく、外部の油をそれの移動内に導入することができる。
【００１４】
従って、ヨークの一端を、例えば、後端部を閉口する筒状に形成することによって、ケース体を構成し、プランジャとの間に油溜まり部を設けることによって、プランジャに圧力を付加させることができる。その結果、最後端に配置されていた従来のプレートをヨーク自体で構成することができ、コストを低減するとともにケースの外径を小さくして省スペース化を図ることができる。
【００１５】
しかも、呼吸経路を、ソレノイド部における低磁区域内に設けることによって、磁気効率に影響を受けずに、高い磁気効率を維持することができる。
【００１６】
請求項２記載の発明は、ケース体として構成されるヨークには、通常、外部との電気的な接続を行うコネクタ部を配置することに注目し、ヨークには、コネクタ部を配置するための切り欠き部が形成されている。磁気回路を構成するヨークは、切り欠き部において磁気を発生しないことから、ヨークにおける切り欠き部の延長線上の区域は低磁区域として形成される。このヨークの切り欠き部の延長線上におけるヨークの内壁面に、切り欠き部から油溜まり部に通じる呼吸溝を形成してプランジャの後方から外部の油を導入できることから、磁気効率に影響を受けずに、高い磁気効率を維持することができる。
【００１７】
また、請求項３記載の発明では、ソレノイドバルブは、固定子・ヨーク・可動子を有してソレノイド部に呼吸経路を備えるものであって、ヨークをコイルの外周面を覆って、一端を閉口する筒状に形成して、ソレノイド部の外径を従来のソレノイド部より小径に構成とともに、固定子には、可動子および油を収納する可動子収納部を設けている。
【００１８】
一方、可動子の摺動による容積変化を補充するための呼吸経路をソレノイド部の低磁区域内に設けることによって、コイルの励磁によって発生する磁気効率を低下することなく、呼吸経路を構成することができる。従って、請求項１記載の発明と同様の効果を達成することができる。
【００１９】
請求項４記載の発明では、呼吸経路を構成するための呼吸溝を、ソレノイド部の前部に形成して、可動子の前方から油を可動子収納部に導入している。つまり、外部の油を、ヨークの切り欠き部の延長線上における固定子の前部に形成している。固定子は、コネクタ部が配置されている部位には、ヨークの切り欠き部内にあることから、ヨークからの磁束が極めてわずかでしか流れないことによって、低磁区域を形成している。従って、この区域内で呼吸溝を形成することによって磁気効率に影響を受けずに、高い磁気効率を維持することができる。
【００２０】
【発明の実施の形態】
以下、本発明の一実施形態を図面に基づいて説明する。
【００２１】
第１の実施形態によるソレノイドバルブ１は、図１に示すように、ソレノイド部１０とスプール弁部２０とからなり、スプール弁部２０の一端にソレノイド部１０の一端をカシメ結合することによってソレノイド部１０とスプール弁部２０とを一体的に結合している。
【００２２】
実施形態のソレノイド部１０は、前端を開口し後端を閉口する筒状のハウジングを形成する磁性体のヨーク１１と、中空状に形成された固定コア１２と、ヨーク１１に内蔵されて固定コア１２の周りを巻装するコイル１３と、固定コア１２に摺動可能に内蔵されるプランジャ１４と、ヨーク１１の外周面の一部に外装されるコネクタ部１５と、を備えて構成されている。
【００２３】
固定コア１２は、内部にプランジャ収納部１６を形成し、スプール弁部２０側の端部にスプール弁部２０のソレノイド部１０側端面と当接するためのフランジ部１２ａを形成する。そして、フランジ部１２ａの外周面をヨーク１１から延設されたカシメ部１１ａに外嵌している。カシメ部１１ａはスプール弁部１０の端面の外周面まで延設され、スプール弁部１０の端面の外周面をカシメルことによって、スプール弁部２０と一体的に結合している。
【００２４】
プランジャ１４は、コイル１３の励磁によって固定コア１２のプランジャ収納部１６に摺動可能に配置されるとともに、軸方向に貫通する流体通路１４ａを形成している。
【００２５】
これによって、コイル１３が通電されると、コイル１３からヨーク１１・固定コア１２・プランジャ１４に磁束が流れて磁気回路が形成され、プランジャ１４が図１中左側、つまりスプール３０を押圧する方向に移動する。
【００２６】
また、コイル１３が非通電状態であれば、プランジャ１４は、図１中右側、つまりスプール３０から離れる方向に移動する。それに伴って、スプール３０は後述のコイルばね４０の付勢力によって右側に摺動することとなる。
【００２７】
一方、ヨーク１１におけるスプール３０側と反対側の端部（図１中右側）に、固定コア１２の周りに油溜まり部１１ｂが形成され、油溜まり部１１ｂからヨーク１１と固定コア１２端面との間に形成された油通路１２ｂを通って固定コア１２のプランジャ収納部１６に入り、プランジャ１４をスプール３０側に押圧可能とするとともに、油溜まり部１１ｂはヨーク１１に形成された外部との油通路としての呼吸経路１７に連通して油の外部との流通を可能とする。
【００２８】
呼吸経路１７は、ヨーク１１内の固定コア１２の周りに形成された油溜まり部１１ｂから屈折して形成することによって外部から侵入する異物を除去しやすいようにする。しかもこの呼吸経路１７は、固定コア１２内に充填されている油の容積変化（縮小分）に相当する長さで形成されることが望ましい。
【００２９】
この呼吸経路１７は、図２〜３に示すように、ヨーク１１のコネクタ切り欠き部１１１から油溜まり部１１ｂに向かって形成される呼吸溝として形成される。つまり、ヨーク１１は、スプール３０側の先端部にカシメ部１１ａとコイルを外装する中間内壁部１１２と油溜まり部１１ｂを構成する後内壁部１１３とに形成され、それぞれ肉厚が徐々に厚く形成されている。そして、カシメ部１１ａと中間内壁部１１２との一部に、コネクタ１５を挿入するための切り欠き部１１１を形成している。
【００３０】
前述の呼吸経路１７は、切り欠き部１１１の後方に向かう延長線上における中間内壁部１１２と後内壁部１１３部に呼吸溝を形成することになり、この呼吸経路１７によって、ソレノイド部１０の外部からの油が呼吸経路１７を通って油溜まり部１１ｂに導入可能に構成されることとなる。しかも、呼吸経路１７を形成する部位は、コイル１３の励磁の際、磁気回路が形成されない部位になることから、ソレノイド部１０の磁気効率を影響させることはない。
【００３１】
ソレノイド部１０とスプール弁部２０との間には、２枚のプレート部４５が配置されている。２枚のプレート部４５は、スプール弁部２０側に配置される薄板状の第１のプレート４６とソレノイド部１０側に配置される厚板状の第２のプレート４７とからなり、第１プレート４６と第２プレート４７間に空間部を有して油溜まり４８を形成している。
【００３２】
第１のプレート４６は、スリーブ２１の端面と第２のプレート４７の外縁部に挟持されて円板状に形成されるとともに、軸方向の中央部にスプール３０側に向かうボス部４６ａが形成されている。ボス部４６ａには、内周端からスプール３０側に向かって形成される円筒部４６ｂが、スプール３０の軸部３６にわずかな嵌合隙間を有して嵌合され、さらに、ボス部４６ａの下部には１箇所又は複数箇所の通し孔４６ｃが設けられている。
【００３３】
第２のプレート４７は、固定コア１２のフランジ部１２ａと第１のプレート４６の外縁部に挟持されて円板状に形成されるとともに、軸方向の中心部にプランジャ１４に向かう円筒部４７ａが軸部３６にわずかな嵌合隙間を有して嵌合されている。
【００３４】
一方、スプール弁部２０は、一端を開口する筒状に形成するとともにスプール３０を摺動可能に内蔵するスリーブ２１と、スリーブ２１のソレノイド部１０と反対側の端部でスプール３０を付勢するコイルばね４０と、スリーブ２１の一端でスリーブ２１に螺合してコイルばね４０を支持する止め栓４１と、を備えて構成されている。
【００３５】
スリーブ２１には、出力ポート２２・入力ポート２３・フィードバックポート２４が、ソレノイド部１０側に向かって順に配置されるとともに、フィードバックポート２４とソレノイド部１０との間に、第１のドレンポート２５・第２のドレンポート２６が形成され、さらに、出力ポート２２のソレノイド部１０と反対側には、ソレノイド部１０側と反対の方向から順に第３のドレンポート２７・第４のドレンポート２８が形成されている。
【００３６】
一方、スプール３０には出力ポート２２・入力ポート２３に対向して各口径量を調整する大径の第１の弁部３２とフィードバックポート２４のソレノイド部１０側に配置される小径の第２の弁部３３とを有して形成されている。第２の弁部３３には、ソレノイド部１０側に向かって、順に第１の摺動部３４と第２の摺動部３５とが分割して配置され、第２の摺動部３５のソレノイド部１０側の端部には、プランジャ１４の端面に当接する軸部３６が形成されている。
【００３７】
そして、第１の摺動部３４と第２の摺動部３５の間に対向する位置に前述の第１のドレンポート２５が配置されるとともに、第２の摺動部３５とプランジャ１４との間に前述の第２のドレンポート２６が配置されている。
【００３８】
また、スプール３０は、第４のドレンポート２８を開閉する位置に大径の第３の弁部３７が形成され、第３の弁部３７がスプール３０の移動により第４のドレンポート２８を徐々に開くように移動すると、入力ポート２３から出力ポート２２に流れる油量を少なくして第４のドレンポート２８に流れる油量を多くし、逆に第３の弁部３７が第４のドレンポート２８を閉じる方向に移動すると、入力ポート２３から出力ポート２２に流れる油量を多くすることになる。さらに、第３の弁部３７の反ソレノイド部１０側端部には、突出軸部３８が形成されて前述のコイルばね４０が外装される。
【００３９】
入力ポート２３は、図示しないタンクから供給される作動油が流入されて出力ポート２２に排出可能とするとともに、排出ポート２２は、外部においてフィードバックポート２４に連通して、排出された作動油の一部をフィードバックポート２４からフィードバック室２９に導入するようになっている。フィードバック室２９は大径の第１の弁部３２と小径の第１の摺動部３４との間に形成されることになるので、フィードバック室２９に導入された作動油は、大径の弁部３２と小径の第１の摺動部３４との面積差により、大径の弁部３２側、つまりソレノイド部１０側と反対の方向を押圧することになる。
【００４０】
従って、スプール３０は、コイルばね４０の付勢力と、ソレノイド部１０におけるプランジャ１４が吸引されてスプール３０を押圧する力及びフィードバック室２９の油圧でスプール３０を押圧する力と、がつり合う位置で静止することとなる。
【００４１】
一方、ソレノイド部１０とスプール弁部２０との間には、前述のように、第１のプレート４６と第２のプレート４７とが並設するように配置され、第１のプレート４６と第２のプレート４７との間に油溜まり４８を形成している。そして第１のプレート４６には、下部の１箇所又は複数箇所に通し孔４６ｃを形成して、油溜まり４８に流入した一部の異物を通し孔４６ｃから第２のドレンポート２６に向かって排出させる。
【００４２】
又、ソレノイド部１０側の右側端部の油溜まり部１１Ｂには、外部の油が、ヨーク１１に設けられた屈折状態の呼吸経路１７を通って油溜まり部１１ｂ内に流入すると、油溜まり部１１ｂから固定コア１２の右端部先端に設けられた油通路１２ｂを通って固定コア１２のプランジャ収納部１６に流入してプランジャ１４を押圧可能に構成している。
【００４３】
従って、この形態のソレノイドバルブ１では、フィードバックポート２４から流入した作動油の一部は、異物とともに第２の弁部３３の第１の摺動部３４の外周隙間から第２の摺動部３５側に向かって浸入する。異物は第１のドレンポート２５から排出されるものの、一部がソレノイド部１０側に侵入しようとするが、第１のプレート４６に阻まれて第２のドレンポート２６から排出される。
【００４４】
一方、ソレノイド部１０の外部から導入される油は、コネクタ部１５の周りからヨーク１１の切り欠き部１１１内に入り、呼吸経路１７を通って、ヨーク１１の後部１１３内に設けられた油溜まり部１１ｂ内に導入するとともに、油とともに浸入しようとする異物は、呼吸経路１７中の屈折した経路に阻まれて沈殿し、油だけが油溜まり部１１ｂを通って固定コア１２内に流入することができ、異物は油溜まり部１１ｂに達することができない。
【００４５】
次に上記のように構成されたソレノイドバルブ１の作用について説明する。
【００４６】
まず、ソレノイド部１０におけるコイル１３が非通電状態であれば、プランジャ１４は、スプール３０を押圧する力がないため、スプール３０は、コイルばね４０の付勢力と、フィードバック室２９における作動油のスプール３０を押圧する力と、がつり合った位置で静止する。つまり、この状態では、入力ポート２３と出力ポート２２とが連通する位置にあり、入力ポート２３から流入した作動油が出力ポート２２に流れる流量は増加するとともに、第４のドレンポート２８は第３の弁部３７によって閉鎖されることから、出力ポート２２からライン（例えば、車両における自動変速機）側に流れる油量が最大となる。
【００４７】
一方、フィードバック室２９において、ライン側から流入する作動油には、例えば、自動変速機で作動されたギヤの磨耗粉等の異物が混入されている。フィードバック室２９は高い圧力になっていることから、作動油の一部は異物とともに第２の弁部３３における第１の摺動部３４側に流れる。
【００４８】
第１の摺動部３４とスリーブ２１の内周面との間には第１摺動部３４が摺動するための、僅かな嵌合隙間を有していることから、異物を伴った作動油の一部がこの嵌合隙間を通って流れ込む。しかし、第１の摺動部３４と第２の摺動部３５との間には、スリーブ２１に形成された第１のドレンポート２５が形成されていることから、第１摺動部３４の嵌合隙間を通った異物のほとんどは、第１のドレンポート２５から外部に排出される。
【００４９】
さらに、第１のドレンポート２５から排出されない作動油の一部は、第２の摺動部３５の外周部を通り、第２の摺動部３５とソレノイド部１０との間に形成された第２のドレンポート２６から外部に排出されることとなって、ソレノイド部１０内には到達しない。また、作動油に含まれる異物の一部が、例え、第２の摺動部３５を通ったとしても、異物は同様に第２のドレンポート２６から外部に排出されて、ソレノイド部１０内には到達しない。
【００５０】
コイル１３が通電されると、ヨーク１１・固定コア１２・プランジャ１４に磁束が流れて磁気回路が形成される。これによってプランジャ１４は固定コア１２に対して、図１中左方向に移動してスプール３０をコイルばね４０の付勢力に抗して左方向に移動させる。
【００５１】
但し、この際、ヨーク１１の切り欠き部１１１及びヨーク１１の切り欠き部１１１の延長線上における中間部１１２・後部１１３の内壁部には、磁束が遮断されて極めて僅かかあるいは流れず、それによって磁気回路は低磁区域として形成される。
【００５２】
スプール３０は、コイルばね４０の付勢力と、フィードバック室２９における油圧のスプール３０への押圧力及びソレノイド部１０における磁気吸引力によるプランジャ１４のスプール３０への押圧力と、のつり合った位置で静止する。
【００５３】
この位置では、第１の弁部３２が入力ポート２３から流れる作動油の量を低減させ、第４のドレンポート２８から排出する作動油の量を多くするように働くことから、出力ポート２２からライン側に流れる作動油の量を低減することとなる。
【００５４】
一方、フィードバック室２９に流入した油は、一部が第１の摺動部３４に流れて異物を第１のドレンポート２５から排出させ、さらに一部の油は第２の摺動部３５を通って第２のドレンポート２６から外部に排出される。
【００５５】
同時にソレノイド部１０におけるヨーク１１の外部の周りに貯留されている油がプランジャ１４の左方向への移動により、プランジャ収納部１６内の容積変化を発生して圧力低下を起こし、それによって外部の油がヨーク１１の切り欠き部１１１から呼吸経路１７を通って油溜まり部１１ｂに導入してプランジャ収納部１６内に補充される。
【００５６】
ソレノイド部１０の入り切りによる油の呼吸経路１７からのソレノイド部１０内への浸入の際、異物は呼吸経路１７の屈折された経路中で下方に沈み込むことによって、ヨーク１１内の油溜まり部１１ｂ内には侵入することができない。
【００５７】
上記のように、実施形態のソレノイドバルブ１は、コイル１３を励磁することによって、ヨーク１１・固定コア１２・プランジャ１４との間には磁気回路が形成され、これによってプランジャ１４が固定コア１２に対して接近する方向に摺動する。プランジャ１４が摺動することによって、プランジャ収納部１６内に貯留されている油が体積変化を起こすことになり、これによって油の圧力が低下することとなる。この油の圧力はソレノイドバルブ１が設置されている周りの油を呼吸経路１７から導入することによって補充される。この呼吸経路１７を、ソレノイド部１０における低磁区域内、実施形態では、ヨーク１１の切り欠き部１１１の延長線上におけるヨーク１１の内壁面に、切り欠き部１１１から油溜まり部１１ｂに通じる呼吸溝として形成してプランジャ１４の後方から外部の油を導入している。
【００５８】
従って、磁気回路を構成するヨーク１１は、切り欠き部１１１において磁気を発生しないことから、磁気効率に影響を受けずに、高い磁気効率を維持することができる。
【００５９】
しかも、ヨーク１１は後端部を閉口する筒状に形成することによって、ケース体を構成し、プランジャ１４との間に油溜まり部１１ｂを設けることによって、プランジャに圧力を付加させることができる。その結果、最後端に配置されていた従来のプレートをヨーク１１自体で構成することができ、コストを低減するとともにケースの外径を小さくして省スペース化を図ることができる。
【００６０】
次に、第２の形態のソレノイドバルブ７について、図４に基づいて説明する。
【００６１】
この形態のソレノイドバルブ７は、ソレノイド部６０と、スプール弁部５０とを備えて構成されている。ソレノイド部６０は、ヨーク６１、フランジ部６２ａを有する固定コア６２、固定コア６２を外装するコイル６３、固定コア６２内を摺動可能に配置するプランジャ６４、ヨーク６１に一体的に装着するコネクタ部６５と、を備えている。
【００６２】
ヨーク６１は、第１の形態と同様に、スプール６０側の先端部にカシメ部６１ａとコイル６３を外装する中間内壁部６１２と油溜まり部６１ｂを構成する後内壁部６１３とを有してそれぞれ肉厚が徐々に厚く形成されるとともに、前方を開口し後方を閉口して筒状に形成されている。そして、前述の形態と同様に、カシメ部６１ａと中間内壁部６１２との一部に、コネクタ７５を挿入するための切り欠き部６１１を形成している。
【００６３】
固定コア６２は、図５〜６に示すように、内部を貫通するプランジャ収納部６２ｃを有して筒状に形成され、下部に軸方向と平行な切り欠き平面部６２ｂを形成するとともに、フランジ部６２ａに軸心と直行する方向に内部呼吸経路６８となる呼吸溝部を形成している。
【００６４】
一方、コネクタ部６５は、図７〜８に示すように、外部との電気接続する接続部６６と固定コア装着部６７とを備え、固定コア装着部６７には、固定コア６２の切り欠き平面部６２ｂに対向する対向面６７ａと、固定コア６２に形成された内部呼吸経路６８に連通する外部呼吸経路６９としての溝部が、対向面６７ａの両側に一対形成されている。しかも、呼吸経路を形成する部位は、コイル１３の励磁の際、磁気回路が形成されない部位になることから、ソレノイド部６０の磁気効率を影響させることはない。
【００６５】
スプール弁部５０の構成は、大径に形成された複数の弁部５２及び小径に形成された弁部５３を備えるスプール５１と、スプール５１を内部で摺動可能に構成して書くポート５６を備えるスリーブ５５とを有して形成されるとともに、ダイヤフラム７１の前方直前に配置されたドレンポート５７を有して、ほぼ第１の形態のスプール弁部２０と同様に構成されている。従って、更なる詳細の説明、スプール５１の作用説明については省略する。
【００６６】
上記のように構成された第２の形態のソレノイドバルブ７では、コイル６３の励磁によってプランジャ６４が、図中、左方向に摺動してスプール５１を押圧すると、固定コア１２のプランジャ収納部１６内の油が流動して容積変化を発生する。これによって、外部からの油が固定コアの前部に形成された呼吸経路６８を通ってプランジャ収納部６６内に補充される。
【００６７】
一方、内部呼吸経路６８と外部呼吸経路６９とは、固定コア６２のフランジ部６２ａの外端部と固定コア装着部６７のヨーク６１との対向面６７ａ後端部との間で形成される絞り部７０を介して連通することから、ソレノイド部６０の呼吸によって、外部後方及び外部側方からソレノイド部６０側に流入する油に含まれる異物は絞り部７０で妨げられて外部呼吸経路６９の下部に沈殿することとなる。
【００６８】
なお、ソレノイド部６０とスプール弁部５０との間にはダイヤフラム７１を配置して、スプール弁部５０からの異物がソレノイド部６０側に侵入することを防止している。
【００６９】
従って、第２の形態のソレノイドバルブ７では、呼吸経路６８を、ヨーク６１の切り欠き部６１１の延長線上における、固定コア６２のフランジ部６２ａにおいて形成することから、第１の形態と同様、磁気回路を構成するヨーク６１が、切り欠き部６１１において磁気を発生しないことによって、磁気効率に影響を受けずに、高い磁気効率を維持することができる。
【００７０】
さらに、ダイヤフラム７１をソレノイド部６０とスプール弁部５０との間に配置したもので構成し、固定コア６２とコネクタ部６５との間に内部呼吸経路６８及び外部呼吸経路６９を形成して、内部呼吸経路６８と外部呼吸経路６９との間に絞り部７０を設けることによって、ソレノイド部６０の外部からの油をソレノイド部６０の前方から供給する際に、異物を除去することができる。
【図面の簡単な説明】
【図１】本発明の第１の形態を示すソレノイドバルブの正面断面図である。
【図２】図１におけるヨークの側面断面図である。
【図３】図２におけるＩＩＩ−ＩＩＩ断面図である。
【図４】本発明の第２の形態によるソレノイドバルブの正面断面図である。
【図５】図４における固定コアを示す正面断面図である。
【図６】同固定コアを示す斜視図である。
【図７】同ソレノイド部を示す簡略左側面図ある。
【図８】同ソレノイドバルブを示す簡略斜視図であるである
【図９】従来のソレノイドバルブを示す断面図である。
【符号の説明】
１、７　ソレノイドバルブ
１０（６０）　ソレノイド部
１１（６１）　ヨーク
１１ｂ　油溜まり部
１１１（６１１）　ヨーク切り欠き部
１２（６２）　固定コア
１３（６３）　コイル
１４（６４）　プランジャ
１６（６６）　プランジャ収納部
１７　呼吸経路
２０（５０）　スプール弁部
２１（５５）　スリーブ
２２　出力ポート
２３　入力ポート
２４　フィードバックポート
２５　第１のドレンポート
２６（５４）　第２のドレンポート
３０（５１）　スプール
４５　プレート部
６７　固定コア装着部
６７ａ　対向面
６８　内部呼吸経路
６９　外部呼吸経路
７０　絞り部
【図１】
2004144230.tif 000003
【図２】
2004144230.tif 000004
【図３】
2004144230.tif 000005
【図４】
2004144230.tif 000006
【図５】
2004144230.tif 000007
【図６】
2004144230.tif 000008
【図７】
2004144230.tif 000009
【図８】
2004144230.tif 000010
【図９】
2004144230.tif 000011